(57)【要約】【課題】  必要な場合には運搬が可能であるが、折り畳んだ状態にても安定して倒伏の虞れがなく現場に放置することが可能で、老人子供でも取り扱いが容易に行え、多くの既存の構築物に取り付けることも可能な定置型折畳み式ごみ箱を提供する。【解決手段】  折畳み自在な前面扉３および側面扉４、５ならびに上蓋１から構成された折畳み式ごみ箱の背面板２を、重量物である台座６の両側から起立構成した取付支柱７、７の間に固定するとともに、取付支柱７を断面凸字形状に形成したので、ごみ箱部分を展開させた使用状態にある場合はもとより、ごみ箱部分を台座６上および取付支柱７、７間に折り畳んだ場合でも、重量物である台座６の存在によって、装置が転倒することなく安定して放置できる。また、断面凸字形状の取付支柱７の脚部７Ｌの各面を利用して、既存の構築物８等への取付けを多様に選定することができる。【選択図】  図１
0003103403.tif 000002
【実用新案登録請求の範囲】
【請求項１】
折畳み自在な前面扉および側面扉ならびに上蓋から構成された折畳み式ごみ箱において、ごみ箱の背面板を、重量物である台座と該台座の両側から起立構成した取付支柱の間に固定するとともに、前記取付支柱を断面凸字形状に形成したことを特徴とする定置型折畳み式ごみ箱。
【請求項２】
前記取付支柱における凸字形状の頂部にごみ箱の側面扉を取り付けたことを特徴とする請求項１に記載の定置型折畳み式ごみ箱。
【請求項３】
前記取付支柱における凸字形状の脚部に既存構築物への取付孔を多数穿設したことを特徴とする請求項１または２に記載の定置型折畳み式ごみ箱。
【請求項４】
前記台座に地面等への取付部を形成したことを特徴とする請求項１から３のいずれかに記載の定置型折畳み式ごみ箱。
【考案の詳細な説明】
【技術分野】
【０００１】
本考案は、折畳み自在な前面扉および側面扉ならびに上蓋から構成された折畳み式ごみ箱に関する。
【背景技術】
【０００２】
近年のように、食生活が充実し多大なる物資が満ち溢れてくると、各家庭は言うに及ばず、各種の事業所、高速道路のサービスエリア、病院、鉄道の駅舎等人々が多く集まるところでは、多量のごみが放出され、地球環境の劣化や資源の枯渇等の問題を招いている。このようなことから、ごみの収集は各地域にとって特に重要な問題となっている。各地域では、ごみの種類に応じた収集日を決めて分別収集を行う等、鋭意知恵を絞っているところである。しかしながら、ごみを回収したごみ箱がカラスや猫等の被害に遭ったり、ごみの収集日以外にも、ごみ箱が私道や歩道を専有する等、市民生活に様々な影響が出ているところである。そのようなことから、ごみの収集日以外には歩道等を専有することが少なく、カラスや猫等の被害からもごみを保護することができる折畳み式のごみ箱が提案されて使用されている（例えば下記特許文献１および２参照）。
【特許文献１】特開平１１−１１６００１号公報（段落００１４参照）
【特許文献２】特開２００３−８１２６４号公報（請求項１参照）
【考案の開示】
【考案が解決しようとする課題】
【０００３】
前記特許文献１に開示された発明である、折畳み自在のごみ収集ステーションは、図５に示すように、下端を地中埋め込みして立設するように用いる一つの支柱１４２に、正面および背面フレーム１０１および１０２の枠材に設置した倒れ止め手段１４１が、ロープ、チェーン、錠等により一体的に連結固定される。ごみ収集ステーションは、仕切りパネル１３０または開き戸１３１を有するフレーム構成とし、正面および背面のフレーム１０１および１０２間に側面フレーム１０３を谷折り曲折自在にヒンジ１２０連結するとともに、背面のフレーム１０２に底面フレーム１０５を上向き起倒自在にヒンジ１２０連結し、かつ上面フレーム１０６を下向きの起倒と開閉自在に２重のヒンジで連結して、全体を折り畳めるように構成したものである。
【０００４】
前記特許文献２に開示された発明である、折畳式収納箱は、図６に示すように、箱基部２０１と、該箱基部２０１に対して折り畳み収納される展開部２０２と、該展開部２０２の上面を塞ぐ蓋体２０３と、前記展開部２０２の底面を塞ぐ底面壁２０４とから構成される。展開状態での展開部２０２の上面を蓋体２０３で塞いだ状態において、蓋体２０３の蓋周枠２２９を展開部２０２の上端に係合させて、蓋体２０３で展開部２０２の箱形状を確実に保持できるようにしたものである。
【０００５】
このような構成によって、いずれのものも、ごみの収集日以外にはごみ箱をコンパクトに折り畳んでおくことができるので、ごみ箱が私道や歩道を専有することを抑制できて、市民生活への影響を最小限にすることができる。また、ごみの収集日に組み立てられて使用されるごみ箱内のごみがカラスや猫等の被害に遭う虞れがなくなった。
【０００６】
しかしながら、図５に示した前者の第１従来例のものでは、地中埋め込みして立設するように用いる一つの支柱１４２に対して、全体を折り畳めるようにしたごみ箱を連結固定するように構成したので、専用の埋設支柱を必要としてコストアップを招いた。また、前記支柱１４２から取り外した状態では、ごみ箱全体は軽量で不安定であるため現場に放置しておくことはできず、所定の場所に格納しなければならず、扱いが面倒であった。
【０００７】
また、図６に示した後者の第２従来例のものでは、箱形状に展開した状態において蓋体２０３を塞ぐことによって、確実に箱形状を保持してぐらつきを防止するものである。したがって、箱基部２０１内に折り畳んで格納したごみ箱はコンパクトになるものの、全体として均一な重量物となって、少しの風等の風圧を受けても転倒し易く、これも現場に放置することは不可能であった。
【０００８】
そこで、本考案では、前記従来の折畳み式ごみ箱の諸課題を解決して、必要な場合には運搬が可能であるが、折り畳んだ状態にても安定して倒伏の虞れがなく現場に放置することが可能で、老人子供でも取り扱いが容易に行え、多くの既存の構築物に取り付けることも可能な定置型折畳み式ごみ箱を提供することを目的とする。
【課題を解決するための手段】
【０００９】
そのため、本考案は、折畳み自在な前面扉および側面扉ならびに上蓋から構成された折畳み式ごみ箱において、ごみ箱の背面板を、重量物である台座と該台座の両側から起立構成した取付支柱の間に固定するとともに、前記取付支柱を断面凸字形状に形成したことを特徴とする。また本考案は、前記取付支柱における凸字形状の頂部にごみ箱の側面扉を取り付けたことを特徴とする。また本考案は、前記取付支柱における凸字形状の脚部に既存構築物への取付孔を多数穿設したことを特徴とする。また本考案は、前記台座に地面等への取付部を形成したことを特徴とするもので、これらを課題解決のための手段とするものである。
【考案の効果】
【００１０】
本考案では、折畳み自在な前面扉および側面扉ならびに上蓋から構成された折畳み式ごみ箱において、ごみ箱の背面板を、重量物である台座と該台座の両側から起立構成した取付支柱の間に固定するとともに、前記取付支柱を断面凸字形状に形成したことにより、ごみ箱部分を展開させて箱状体にして使用状態にある場合はもとより、ごみ箱部分を台座上および取付支柱間に折り畳んだ場合でも、重量物である台座の存在によって、装置が転倒することなく安定して放置しておくことができる。また、断面凸字形状の取付支柱は、その脚部の各面を利用して、既存の構築物等への取付けを多様に選定することができる。
【００１１】
また、前記取付支柱における凸字形状の頂部にごみ箱の側面扉を取り付けた場合は、凸字形状の突出した部位での側面扉の蝶番結合や側面扉のネット側縁の固定が可能となるので、凸字形状の頂部でのこれらの蝶番結合やネット側縁の固定部を、凸字形状の脚部に配置した背面板の固定部と干渉することがないように構成することができ、それらの固定をそれぞれ各別に独立して高い自由度にて行うことができる。
【００１２】
さらに、前記取付支柱における凸字形状の脚部に既存構築物への取付孔を多数穿設した場合は、凸字形状の突出した部位での側面扉の蝶番結合やネット側縁の固定部を、凸字形状の脚部における既存の構築物等への取付け部と干渉することがなく、それらの固定ないし取付けをそれぞれを各別に独立して高い自由度にて行うことができる。さらにまた、前記台座に地面等への取付部を形成した場合は、折り畳んだごみ箱をさらに確実に安定させて放置することを可能にする。
【考案を実施するための最良の形態】
【００１３】
以下、本考案の実施例を図面に基づいて詳細に説明する。図１〜図３は本考案の定置型折畳み式ごみ箱の第１実施例を示すもので、図１（Ａ）は組立・展開後のごみ箱の全体斜視図、図１（Ｂ）はその側面図、図１（Ｃ）は重量物である台座、および取付支柱の拡大斜視図、図２は折り畳んだごみ箱の全体斜視図、図３は取付支柱の変形例の斜視図である。図４（Ａ）は本考案の定置型折畳み式ごみ箱の第２実施例の全体斜視図、図４（Ｂ）は折畳み開始状態を示す全体斜視図である。本考案の基本的な構成は、図１に示すように、折畳み自在な前面扉３および側面扉４、５ならびに上蓋１から構成された折畳み式ごみ箱において、ごみ箱の背面板２を、重量物である台座６と該台座６の両側から起立構成した取付支柱７、７の間に固定するとともに、前記取付支柱７を断面凸字形状に形成したことを特徴とする。
【実施例１】
【００１４】
以下に詳述する。基本的にごみ箱は、図１（Ｃ）に示すような他の部材に比較して重量物を構成する台座６と、該台座６の両端部に起立して取り付けられた断面凸字形状の取付支柱７、７（左側は図示省略）とを基礎として設置されるものである。取付支柱７、７間の間隔はごみ箱の間口を構成する。台座６はごみ箱の背面板２の長さ方向に延びるチャンネル材等から構成され、その両端部はプレス等により固定孔１７のための凹部が形成される。固定孔１７を利用して、必要に応じて台座６を地面等に取り付けることができる。台座６の両端部近傍に取り付けられる取付支柱７は、頂部７Ｔと脚部７Ｌとからなる断面凸字形を呈しており、頂部７Ｔには軸受フック７Ｃが、脚部７Ｌの平面部および側面部にはそれぞれ第１取付孔７Ａおよび第２取付孔７Ｂが多数穿設されている。
【００１５】
ごみ箱の背面板２の両端部は、取付支柱７の脚部７Ｌにおける平面部の第１取付孔７Ａの幾つかを利用して固定される。重量物である台座６の重し機能によって、折り畳んだ状態にてもごみ箱を充分に自立させて起立しておくことが可能であるが、必要であれば、脚部７Ｌの平面部および側面部における第１取付孔７Ａおよび第２取付孔７Ｂを選択的に利用して、比較的多様に既存の構築物、例えばフェンス支柱８等への固定形態を選定することができる。平面部の第１取付孔７Ａを利用したＵボルト９による取付け、側面部の第２取付孔７Ｂを利用した番線１０を利用した取付け等、適宜の方式が採用され得る。
【００１６】
図１（Ｂ）に示すように、右側面扉５について述べると、取付支柱７の頂部７Ｔの側面部（あるいは脚部７Ｌの側面部でも可能）に対し、ヒンジ軸等を介してごみ箱の右側面壁を構成する交差状の第１および第２フレーム５Ｂ、５Ｃの基部がそれぞれ軸着される。それらのフレーム５Ｂ、５Ｃの先端部は同様にヒンジ軸により右フレーム５Ａに軸着される。フレーム５Ｂ、５Ｃの交差する中間部はヒンジ軸１５により折畳み自在に構成される。各フレーム５Ｂ、５Ｃの上端部のヒンジ軸への軸着部は長孔１３、１４に形成され、図２に示すように、ごみ箱を折り畳んだ際のフレーム５Ｂ、５Ｃの逃げを構成する。長孔はフレーム５Ｂ、５Ｃが交差する中間部のヒンジ軸１５部に形成してもよい。側面全体に渡ってネット５Ｄが張設される。上下端縁部はロープ状に、前端縁部は右フレーム５Ａに、後端縁部は取付支柱７における頂部７Ｔに設置された軸受フック７Ｃに適宜の縁部材を介して取り付けられる。
【００１７】
ごみ箱の背面板２の上端縁部には上蓋１の固定蓋１Ｂが固定される。該固定蓋１Ｂの前縁部には蝶番１１を介して揺動蓋１Ａが軸着され、該揺動蓋１Ａにはネット１Ｃが張設される。前記固定蓋１Ｂのせり出しは、折り畳んだごみ箱の厚みを充分に収納する寸法にされる。前記左右の側面扉４（右側面扉５と同様に構成される）、５における左右のフレーム４Ａ、５Ａの前面には、前面扉３が配設される。前面扉３は、蝶番１２、１２を介して軸着されてそれぞれ左右に開閉自在な左右の前面部３Ａ、３Ｂが設置される。これらの前面部３Ａ、３Ｂにはネット３Ｃが張設されるとともに、係止部材１６によって錠止可能に構成される。ごみ箱は歩道上等に設置されることが多いので、歩行者や自転車が早朝使用時や夜間にごみ箱を視認し易いように、前面部３Ａ、３Ｂおよび側面扉４のフレーム４Ｂ、４Ｃ、５Ｂ、５Ｃならびに揺動蓋１Ａの上面等には反射テープ１８が貼られる。折り畳んだごみ箱を取り巻くように反射ベルトを掛けるように構成してもよい。
【００１８】
図１（Ａ）に示すように、前面扉３を矢印のように手前前面に展開した状態にて、揺動蓋１Ａを前面扉３および左右の側面扉４、５の上に載置してごみ箱の組立てを完成させる。ごみの投入者は、主として揺動蓋１Ａを開いてゴミを投入するが、前面扉３Ａ、３Ｂを開扉して投入することもできる。ごみの回収業者等は、前面扉３Ａ、３Ｂを開扉してごみを回収した後、図１（Ａ）の矢印のように前面扉３を背面板２の方に押し付けると同時に、側面扉４、５における交差したフレーム４Ｂ、４Ｃおよび５Ｂ、５Ｃを折り畳んだ後、図２の矢印に示すように、揺動蓋１Ａを揺動させてごみ箱の折畳みを完了する。この状態にても重量物である台座６の存在により、ごみ箱が安定して起立することができ、倒伏することがない。
【００１９】
図３は取付支柱の変形例の斜視図である。本例は、断面凸字形状の取付支柱７が、チャンネル材からなる脚部７Ｌと角状のパイプ材からなる頂部７Ｔとから構成されたものである。脚部７Ｌの中央部の点線部分に適宜の形態にて頂部７Ｔが添設される。本例の取付支柱７は、ありふれたチャンネル材とパイプ材とを組み合わせて容易に製造することができる。本例では、脚部７Ｌにおける平面部および側面部の取付孔が長孔および丸孔とから組み合わされて構成される。
【００２０】
図４（Ａ）は本考案の定置型折畳み式ごみ箱の第２実施例の全体斜視図、図４（Ｂ）は折畳み開始状態を示す全体斜視図である。前記第１実施例のものがネットを主体とした側面扉および前面扉ならびに上蓋とから構成されるのに対して、本実施例のものは板状体から構成される。ごみ箱の背面板２は前記実施例のものと同様に、その両端部が、取付支柱７の脚部７Ｌにおける平面部の第１取付孔７Ａ（図１（Ｃ）参照）の幾つかを利用して固定される。背面板２の上端縁部には上蓋１の固定蓋１Ｂが固定される。該固定蓋１Ｂの前縁部には蝶番１１を介して揺動蓋１Ａが軸着される。左右の各取付支柱７における頂部７Ｔに設置された軸受フック７Ｃに蝶番１２が軸支され、これらの蝶番１２により左右の側面扉４、５が揺動自在に支持される。各左右の側面扉４、５の揺動端部には、さらに左右の前面部３Ａ、３Ｂが蝶番１２により揺動自在に軸支される。これらの前面部３Ａ、３Ｂの当接部には係止杆１６Ａ、係止フック１６Ｂからなる係止部材１６が設置されて、扉の前面部３Ａ、３Ｂが錠止可能に構成される。
【００２１】
図４（Ａ）に示すように、前面扉３の前面部３Ａ、３Ｂを手前前面に展開した状態にて、揺動蓋１Ａを前面扉３および左右の側面扉４、５の上に載置してごみ箱の組立てを完成させる。ごみの投入者は、主として揺動蓋１Ａを開いてゴミを投入するが、前面扉３Ａ、３Ｂを開扉して投入することもできる。ごみの回収業者等は、前面扉３Ａ、３Ｂを開扉してごみを回収した後、図４（Ｂ）のように、例えば、右側面扉５に対して右前面部３Ｂを先ず折り畳んで、さらに右側面扉５を背面部２に押し付けるように折り畳む（右前面部３Ｂの幅が右側面扉５の幅より小さく構成されている）。同様にして、左側面扉４に対して左前面部３Ａを先ず折り畳んで、さらに左側面扉４を背面板２の方に押し付けて、前面扉の前面部３Ａ、３Ｂおよび側面扉４、５折り畳んだ後、揺動蓋１Ａを揺動させてごみ箱の折畳みを完了する。この状態にても重量物である台座６の存在により、ごみ箱が安定して起立することができ、倒伏することがない。本実施例のものでは、各扉や蓋が板状体により構成されており、やや重量増加を招くが、不透明でごみ内容物が見えず、清潔感に優れる他、カラスの被害に遇うことが防止される。
【００２２】
以上、本考案の実施例について説明してきたが、本考案の趣旨の範囲内にて、前面扉の形状（実施例１のタイプでは左右非対称形でもよい）、形式（板状体、ネット張設体の他、透明あるいは半透明樹脂体等）およびその材質（金属や木製あるいはプラスチック製等のネット張設の枠もしくはそれらを材質とする板状体、ネットについては金網、樹脂製ネット等）、側面扉の形状、形式（実施例１のようなパンタグラフ式交差フレームとネット張設体からなるもの、実施例２のような板状体あるいはネット張設体を重合して折り畳むもの）、およびその材質（フレームや板状体については金属や木製あるいはプラスチック製ネットについては金網、樹脂製ネット等）ならびに取付支柱への取付形態（交差フレームの軸支部の頂部側面への軸支の他、脚部側面への軸支等、ネットの頂部へのネット側縁の固定部を介した固定および軸受フックへの蝶番に軸支等）、固定蓋および揺動蓋を含む上蓋の形状、形式（板状体、ネット張設体の他、透明あるいは半透明樹脂体等、蝶番による揺動形態の他、復元ばねを内蔵した蝶番による撥ね上げ形式等）およびその材質（フレームや板状体については金属や木製あるいはプラスチック製等、ネットについては金網、樹脂製ネット等）等については適宜選定できる。
【００２３】
また、背面板の形状、形式（板状体、ネット張設体の他、透明あるいは半透明樹脂体等）およびその材質（板状体については金属や木製あるいはプラスチック製等、ネットについては金網、樹脂製ネット等）ならびに取付支柱への固定形態（脚部の平面部の他、脚部の側面部に固定してもよい）、台座の形状（重りを付設したチャンネル状体を伏せて構成してもよいし、中実体でもよい）、形式およびその材質（鋼材等の他、アルミ等の軽金属に重りを組み込んでもよい）、取付孔（円形、長孔、楕円等、孔間隔、数等）および軸受フック（蝶番を受け入れるＬ字形フック等）の形状を含む取付支柱の形状（断面凸字形状なら種々の形状が採用され得る）、形式（プレスによる凸字形状の他、チャンネル状体と角パイプ状態の接合等）およびその材質（鋼材等の他、アルミ等の軽金属等）、ならびに台座（ボルト等による着脱形式の他、溶接等による接合）および既存構築物への取付形態（Ｕボルト、番線による取付けの他、適宜の方法が採用され得る）、台座の地面等への取付形態（地中埋設のアンカーボルトによる他、地面等への杭打ち等）等についても適宜選定できる。
【図面の簡単な説明】
【００２４】
【図１】本考案の定置型折畳み式ごみ箱の第１実施例を示すもので、図１（Ａ）は組立・展開後のごみ箱の全体斜視図、図１（Ｂ）はその側面図、図１（Ｃ）は重量物である台座、および取付支柱の拡大斜視図である。
【図２】同、折り畳んだごみ箱の全体斜視図である。
【図３】同、取付支柱の変形例の斜視図である。
【図４】本考案の定置型折畳み式ごみ箱の第２実施例を示すもので、図４（Ａ）は全体斜視図、図４（Ｂ）は折畳み開始状態を示す全体斜視図である。
【図５】第１従来例の折畳み自在のゴミ収集ステーションの全体斜視図である。
【図６】第２従来例の折畳式収納箱の全体斜視図である。
【符号の説明】
【００２５】
１        上蓋
１Ａ        揺動蓋
１Ｂ        固定蓋
１Ｃ        ネット
２        背面蓋
３        前面扉
３Ａ        左前面部
３Ｂ        右前面部
３Ｃ        ネット
４        左側面扉
４Ａ        左フレーム
４Ｂ        左第１フレーム
４Ｃ        左第２フレーム
４Ｄ        ネット
５        右側面扉
５Ａ        右フレーム
５Ｂ        右第１フレーム
５Ｃ        右第２フレーム
５Ｄ        ネット
６        台座
７        取付支柱
７Ａ        第１取付孔
７Ｂ        第２取付孔
７Ｃ        軸受フック
７Ｔ        頂部
７Ｌ        脚部
８        既設支柱
９        Ｕボルト
１０        番線
１１        蝶番
１２        蝶番
１３        長孔
１４        長孔
１５        ヒンジ軸
１６        係止部材
１６Ａ      係止杆
１６Ｂ      係止フック
１７        固定孔
１８        反射テープ
【図１】
0003103403.tif 000003
【図２】
0003103403.tif 000004
【図３】
0003103403.tif 000005
【図４】
0003103403.tif 000006
【図５】
0003103403.tif 000007
【図６】
0003103403.tif 000008